【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
ｉｎ  ｓｉｔｕ抗原回復および着色装置であって、
複数のスライド支持要素および１つの共通の室であって、各スライド支持要素は、顕微鏡スライドを支持することが可能であり、かつ該共通の室の中に、そして該共通の室の外に独立して動かすことが可能であり、該共通の室は、該共通の室内の該スライド支持要素上に配置される各顕微鏡スライドを加圧するために加圧され得る、複数のスライド支持要素および１つの共通の室と、
該共通の室を加圧する加圧手段と、
大気圧を超えるレベルにおいて、該共通の室内の圧力レベルを維持することが可能なマイクロプロセッサと
を備えている、ｉｎ−ｓｉｔｕ抗原回復および着色装置。
【請求項２】
各スライド支持要素上の各顕微鏡スライドに、試薬または溶液を分配する試薬分配システムを備えている、請求項１に記載の装置。
【請求項３】
前記試薬分配システムは、前記共通の室内の前記圧力レベルが、前記大気圧を超えるレベルにおいて維持されている間に、前記顕微鏡スライドに試薬または溶液を分配し得る、請求項２に記載の装置。
【請求項４】
前記試薬分配システムは、試薬デバイスを介して、そして／または遠隔供給源を介して、前記試薬または溶液を提供し、前記スライド支持要素は、該試薬または溶液が提供されるとき、前記共通の室の内部または外部に配置され得る、請求項２に記載の装置。
【請求項５】
前記共通の室内に配置された前記顕微鏡スライドを加熱する加熱手段をさらに備える、請求項１に記載の装置。
【請求項６】
前記加熱手段は、各顕微鏡スライドを独立して加熱する個別の加熱要素を備える、請求項５に記載の装置。
【請求項７】
前記スライド支持要素は、各スライド支持要素上での各顕微鏡スライドの配置のため、またはそこからの取り外しのために、前記共通の室内へ、そして該共通の室の外に、該顕微鏡スライドを独立して動かすために独立して動かすことが可能である、請求項１に記載の装置。
【請求項８】
ｉｎ  ｓｉｔｕ抗原回復および着色装置であって、
複数の独立して動作可能な反応モジュールであって、各反応モジュールは、
内側空間を有する反応区画と、
加熱要素と、
顕微鏡スライドを支持することが可能である、独立して動かすことが可能なスライド支持要素と、
該反応区画内の、または該反応区画に隣接する該スライド支持要素上に配置される該顕微鏡スライドの少なくとも一部分の周囲の該内側空間を密閉する気密シールを形成する密閉手段と
を備えている、反応モジュールと、
該反応モジュールの該反応区画を加圧したり減圧したりする加圧手段と、
該反応区画の該密閉された内側空間内の圧力レベルを個々に維持することが可能なマイクロプロセッサであって、該圧力レベルは、大気圧を超えるレベル、または大気圧未満のレベルにおいて維持され得る、マイクロプロセッサと
を備えている、ｉｎ  ｓｉｔｕ抗原回復および着色装置。
【請求項９】
各スライド支持要素上の各顕微鏡スライドに試薬または溶液を分配する試薬分配システムを備える、請求項８に記載の装置。
【請求項１０】
前記試薬分配システムは、対応する反応モジュールに各々関連付けられた複数の独立して動かすことが可能な試薬分配要素を備える、請求項９に記載の装置。
【請求項１１】
前記試薬分配システムは、１つ以上の試薬容器を備える試薬デバイスを支持する前記反応区画に隣接して位置決定された試薬デバイス支持デバイスを備える、請求項９に記載の装置。
【請求項１２】
前記試薬分配システムは、試薬デバイスを介して、そして／または遠隔供給源を介して、前記試薬または溶液を提供し、前記スライド支持要素は、該試薬または溶液が提供されるとき、前記反応区画の内部または外部に配置され得る、請求項９に記載の装置。
【請求項１３】
前記試薬分配システムは、前記密閉された内側空間内の前記圧力レベルが、大気圧を超えるレベルか、または大気圧未満のレベルにおいて維持されている間に、前記顕微鏡スライドに前記試薬または溶液を分配し得る、請求項９に記載の装置。
【請求項１４】
前記試薬分配システムは、前記顕微鏡スライドが前記反応区画内または該反応区画外に配置されるとき、該顕微鏡スライドに、吸気法、吸引法、真空、液体、空気または気体を適用することが可能である、請求項９に記載の装置。
【請求項１５】
前記反応区画は単一の顕微鏡スライドを収容するようにサイズが合わせられる、請求項８に記載の装置。
【請求項１６】
前記スライド支持要素は、単一の顕微鏡スライドのみを支持するようにサイズが合わせられる、請求項８に記載の装置。
【請求項１７】
前記反応区画のうちの少なくとも一部分が円筒形の管状の形状を有し、前記スライド支持要素の少なくとも一部分が円筒形の形状を有する、請求項８に記載の装置。
【請求項１８】
前記反応区画のうちの少なくとも一部分が長方形の形状を有し、前記スライド支持要素が長方形の形状を有する、請求項８に記載の装置。
【請求項１９】
各スライド支持要素は、各他のスライド支持要素に対して独立して移動可能である、請求項８に記載の装置。
【請求項２０】
各反応区画は各他の反応区画と独立して動かすことが可能である、請求項８に記載の装置。
【請求項２１】
前記スライド支持要素は、溶液を入れる空洞を有し、該空洞は任意で該空洞内の該溶液を加熱するヒーターを有する、請求項８に記載の装置。
【請求項２２】
各スライド支持要素は、該スライド支持要素上に前記顕微鏡スライドを配置するため、またはそこから取り外すために、その上の該顕微鏡スライドを、前記反応区画内へ、そして該反応区画外へ独立して動かすために、独立して動かすことが可能である、請求項８に記載の装置。
【請求項２３】
前記複数の反応モジュールは室内に収容され、該反応モジュールに関連付けられた各スライド支持要素は、該スライド支持要素上に前記顕微鏡スライドを配置するため、またはそこから取り外すために、該顕微鏡スライドを、該室内へ、そして該室外へ独立して動かすために、独立して動かすことが可能である、請求項８に記載の装置。
【請求項２４】
前記密閉手段は、前記スライド支持要素の一部分の周囲に配置されるリングまたはシールを備えるか、または注入シールであるか、あるいは該スライド支持要素の外側表面および前記反応区画の内側表面を備え、該外側表面および内側表面は、互いに一緒に密閉し得、気密シールを形成する、請求項８に記載の装置。
【請求項２５】
前記圧力レベルは、前記密閉された内側空間内で、前記顕微鏡スライドが加熱されることなしに、大気圧を超えるレベルまたは大気圧未満のレベルにおいて維持され得る、請求項８に記載の装置。
【請求項２６】
前記加熱要素は、各顕微鏡スライドを独立して加熱する個別の加熱要素である、請求項８に記載の装置。
【請求項２７】
顕微鏡スライド上の生体標本を処置する方法であって、
ｉｎ  ｓｉｔｕ抗原回復および着色装置を提供することであって、該ｉｎ  ｓｉｔｕ抗原回復および着色装置は、
１つの共通の室、および該共通の室内へ、そして該共通の室外へ独立して動かすことが可能な複数のスライド支持要素であって、各スライド支持要素は、顕微鏡スライドを支持することが可能であり、該共通の室は、該共通の室内にある場合に該スライド支持要素上に配置される各顕微鏡スライドを加圧するために加圧され得る、１つの共通の室および複数のスライド支持要素と、
該共通の室を加圧する加圧手段と、
大気圧を超えるレベルにおいて、該共通の室内の圧力レベルを維持することが可能なマイクロプロセッサと
を備えている、ことと、
その上に生体標本を有する顕微鏡スライドを、該スライド支持要素のうちの少なくとも１つに配置して、該共通の室内に、該スライド支持要素とその上の該顕微鏡スライドとを位置決定することと、
該共通の室内で、その中の該顕微鏡スライドの周りに気密シールを形成することと、
該共通の室を加圧することと、
処置ステップの間に、該共通の室内の圧力レベルを維持することであって、該圧力レベルは大気圧を超えるレベルにおいて維持され得る、ことと
を包含する、方法。
【請求項２８】
前記ｉｎ  ｓｉｔｕ抗原回復および着色装置は、前記スライド支持要素上の前記顕微鏡スライドに、試薬または溶液を分配する試薬分配システムを備える、請求項２７に記載の方法。
【請求項２９】
前記共通の室内の圧力レベルが前記大気圧を超えるレベルにおいて維持されている間に、前記顕微鏡スライドに、前記試薬または溶液を分配することを包含する、請求項２８に記載の方法。
【請求項３０】
試薬デバイスを介して、そして／または遠隔供給源を介して、前記試薬または溶液を分配することを包含し、前記スライド支持要素は、該試薬または溶液が提供されるとき、前記共通の室の内部または外部に配置され得る、請求項２８に記載の方法。
【請求項３１】
前記共通の室内の加熱手段を介して前記顕微鏡スライドを加熱することを包含する、請求項２７に記載の方法。
【請求項３２】
前記加熱手段は、各顕微鏡スライドを独立して加熱する個別の加熱要素を備える、請求項３１に記載の方法。
【請求項３３】
スライド支持要素を独立して動かし、それにより該スライド支持要素上に前記顕微鏡スライドを配置するため、またはそこから取り外すために、前記共通の室内に、そして該共通の室外へ、該顕微鏡スライドを独立して動かすことを包含する、請求項２７に記載の方法。
【請求項３４】
顕微鏡スライド上の生体標本を処置する方法であって、
複数の独立して動作可能な反応モジュールを備えるｉｎ  ｓｉｔｕ抗原回復および着色装置を提供することであって、各反応モジュールは、
内側空間を有する反応区画と、
加熱要素と、
独立して動かすことが可能なスライド支持要素と
を備える、ことと、
その上に生体標本を有する顕微鏡スライドを、各スライド支持要素上に配置して、該スライド支持要素およびその上の該顕微鏡スライドを、該反応区画内に、または該反応区画に隣接して位置決定することと、
その中に顕微鏡スライドを有する該内側空間を密閉するために、該反応区画内で気密シールを形成することと、
該反応モジュールの該反応区画を加圧または減圧することと、
該反応区画の該密閉された内側空間内の圧力レベルを維持することであって、該圧力レベルは大気圧を超えるレベルまたは大気圧未満のレベルにおいて維持され得る、ことと
を包含する、方法。
【請求項３５】
前記スライド支持要素上の前記顕微鏡スライド上の前記生体標本を処置するために、前記ｉｎ  ｓｉｔｕ抗原回復および着色装置内の試薬分配システムを介して試薬または溶液を分配することを包含する、請求項３４に記載の方法。
【請求項３６】
前記顕微鏡スライド上に前記試薬または溶液を分配するステップにおいて、該顕微鏡スライドは、前記反応区画外部または該反応区画内部に位置決定され得る、請求項３５に記載の方法。
【請求項３７】
前記ｉｎ  ｓｉｔｕ抗原回復および着色装置の前記試薬分配システムは、複数の独立して動かすことが可能な試薬分配要素を備える、請求項３５に記載の方法。
【請求項３８】
前記ｉｎ  ｓｉｔｕ抗原回復および着色装置の前記試薬分配システムは、１つ以上の試薬容器を備える試薬デバイスを支持する、前記試薬区画に隣接して位置決定される試薬デバイス指示デバイスを備える、請求項３５に記載の方法。
【請求項３９】
前記ｉｎ  ｓｉｔｕ抗原回復および着色装置の前記試薬分配システムは、試薬デバイスを介して、そして／または遠隔供給源を介して、試薬または溶液を分配し、前記スライド支持要素は、該試薬または溶液が分配されるとき、前記反応区画内部または該反応区画外部に配置され得る、請求項３５に記載の方法。
【請求項４０】
前記反応区画内の前記圧力レベルが前記大気圧を超えるレベルにおいて維持されている間に、前記試薬分配システムから前記顕微鏡スライドに、前記試薬または溶液を分配することを包含する、請求項３５に記載の方法。
【請求項４１】
前記試薬分配システムは、前記顕微鏡スライドが前記反応区画内または該反応区画外に配置されるとき、該顕微鏡スライドに、吸気法、吸引法、真空、液体、空気または気体を適用することが可能である、請求項９に記載の装置。
【請求項４２】
前記複数の反応モジュールは、室内に収容され、該反応モジュールに関連付けられた各スライド支持要素は、該スライド支持要素上に前記顕微鏡スライドを配置するため、またはそこから取り外すために、前記共通の室内に、そして該共通の室外へ、該スライド支持要素上の各顕微鏡スライドを独立して動かすために、独立して動かすことが可能である、請求項３４に記載の方法。
【請求項４３】
前記スライド支持要素上に前記顕微鏡スライドを配置するため、またはそこから取り外すために、前記反応区画に、そして該反応区画外へ、該顕微鏡スライドを独立して動かすために、該スライド支持要素を独立して動かすことを包含する、請求項３４に記載の方法。
【請求項４４】
前記反応区画は単一の顕微鏡スライドを収容するようにサイズが合わせられる、請求項３４に記載の方法。
【請求項４５】
単一の顕微鏡スライドのみが各スライド支持要素上で支持される、請求項３４に記載の方法。
【請求項４６】
前記気密シールは、前記スライド支持要素の少なくとも一部の回りに配置されるリングもしくはシールを備えるか、または注入シールを備える密閉手段によって形成されるか、あるいは該スライド支持要素の外側表面および前記反応区画の内側表面を備え、該外側表面および該内側表面は互いに一緒に密閉され得、該気密シールを形成する、請求項３４に記載の方法。
【請求項４７】
各他の反応区画に対して、各反応区画を独立して動かすことを包含する、請求項３４に記載の方法。
【請求項４８】
前記スライド支持要素は、溶液を入れる空洞を有し、該空洞は任意で該空洞内の該溶液を加熱するヒーターを有する、請求項３４に記載の方法。
【請求項４９】
前記密閉された内側空間内の前記圧力レベルが、前記顕微鏡スライドが加熱されることなしに、前記大気圧を超えるレベルまたは大気圧未満のレベルにおいて維持されている間に、該顕微鏡スライドにプロトコルを適用することを包含する、請求項３４に記載の方法。
【請求項５０】
前記密閉された内側空間内の前記圧力レベルをマイクロプロセッサによって維持することを包含する、請求項３４に記載の方法。
【請求項５１】
前記反応区画のうちの少なくとも一部分が円筒形の管状の形状を有し、前記スライド支持要素の少なくとも一部分が円筒形の形状を有する、請求項３４に記載の方法。
【請求項５２】
前記反応区画のうちの少なくとも一部分が長方形の形状を有し、前記スライド支持要素が長方形の形状を有する、請求項３４に記載の方法。
【請求項５３】
前記加熱要素を用いて、前記スライド支持要素上の前記顕微鏡スライドを加熱することをさらに包含する、請求項３４に記載の方法。
【請求項５４】
前記スライド支持要素上の各顕微鏡スライドが、互いに独立して加熱される、請求項３４に記載の方法。
【請求項５５】
請求項８に記載の装置と共に使用するようにサイズが合わせられ、かつ構成される再構成可能な試薬分配デバイスであって、複数の試薬モジュールを備え、各試薬モジュールは、タイルと、該タイルに固定された試薬容器とを備え、各試薬モジュールは隣接する試薬モジュールに取り付け可能であり、そして該隣接する試薬モジュールから取り外し可能であり、その結果、第一のシーケンスにおいて該複数の試薬モジュールが一緒に取り付けられると、該試薬モジュールのうちの１つ以上が、該第一のシーケンスとは異なる第二のシーケンスにおいて該複数の試薬モジュールを再構成するように取り外され、そして再取り付けされ得るように構成される、再構成可能な試薬分配デバイス。
【請求項５６】
請求項８に記載の装置と共に使用するようにサイズが合わせられ、かつ構成される再構成可能な試薬分配デバイスであって、複数の容器プラットフォームを有する基部と、複数の試薬容器とを備え、各容器プラットフォームはそこに固定される該複数の試薬容器のうちの１つを有し、各試薬用器は、対応する容器プラットフォームに取り付け可能であり、該対応する容器プラットフォームから取り外し可能であり、その結果、第一のシーケンスにおいて該複数の試薬モジュールが一緒に取り付けられると、該試薬容器のうちの１つ以上が、該第一のシーケンスとは異なる第二のシーケンスにおいて該複数の試薬容器を再構成するように、異なる容器プラットフォームから取り外され、そして該異なる容器プラットフォームに再取り付けされ得、それにより再構成された試薬分配デバイスを形成するように構成される、再構成可能な試薬分配デバイス。